(57)【要約】【課題】水舟に供給する溶剤の種類、及び濃度の切り替えを容易に行うことができる表面処理装置を提供する。【解決手段】オフセット輪転機に配置され、水舟６２ａ，６２ｂに貯留された溶剤をウェブ表面に塗布してウェブ表面に滑り性および／または帯電防止性を付与する表面処理装置６０であって、それぞれ濃度、あるいは種類の異なる溶剤を貯留する折り出し用タンク６６及びシート出し用タンク６４と、前記複数のタンク６４，６６のいずれかに貯留された溶剤を前記水舟６２ａ，６２ｂに供給するためのポンプ６８と、前記２つのタンク６４，６６の中からいずれか１つを選択的に前記ポンプに接続する切替弁７０を備えた溶剤供給経路と、前記２つのタンク６４，６６の中から、前記水舟６２ａ，６２ｂと当該水舟６２ａ，６２ｂに供給される溶剤を貯留したタンクとを選択的に接続する切替弁７２ａ，７２ｂを備えた溶剤帰還経路とを有することを特徴とする。【選択図】図２
2007320191.tif 000002
【特許請求の範囲】
【請求項１】
オフセット輪転機に配置され、水舟に貯留された溶剤をウェブ表面に塗布してウェブ表面に滑り性および／または帯電防止性を付与する表面処理装置であって、
それぞれ濃度、あるいは種類の異なる溶剤を貯留する複数のタンクと、
前記複数のタンクのいずれかに貯留された溶剤を前記水舟に供給するための単一のポンプと、
前記複数のタンクの中からいずれか１つを選択的に前記ポンプに接続する切替手段を備えた溶剤供給経路と、
前記複数のタンクの中から、前記水舟と当該水舟に供給される溶剤を貯留したタンクとを選択的に接続する切替手段を備えた溶剤帰還経路とを有することを特徴とする表面処理装置。
【請求項２】
前記水舟を複数備えると共に、前記ポンプは前記水舟のそれぞれに対応させた数だけ備え、
前記複数のタンクと前記複数のポンプそれぞれとの間に前記切替手段を備えた溶剤供給経路を有することを特徴とする請求項１に記載の表面処理装置。
【請求項３】
前記溶剤供給経路には、水舟に供給する溶剤の一部を排出する流量調整弁が備えられ、前記流量調整弁の排出側経路には、溶剤の排出先として前記溶剤を供給しているタンクを選択可能な切替手段を有することを特徴とする請求項１又は請求項２に記載の表面処理装置。
【請求項４】
前記溶剤供給経路に備えた切替手段と、前記溶剤帰還経路に備えた切替手段との切り替えを連動させて行う統括切替手段を備えたことを特徴とする請求項１乃至請求項３のいずれか１に記載の表面処理装置。
【請求項５】
前記統括切替手段は、前記流量調整弁の排出側経路に設けられた切替手段の切り替えも連動させて行う構成としたことを特徴とする請求項４に記載の表面処理装置。
【発明の詳細な説明】
【技術分野】
【０００１】
本発明は、オフセット輪転機に配置される表面処理装置に係り、特に、折り出しやシート出しといった後段工程の違いによってウェブに塗布する溶剤の濃度を異ならせる場合に好適な表面処理装置に関する。
【背景技術】
【０００２】
一般に、オフセット輪転機は、ウェブを給紙機から印刷ユニットに供給して印刷を施し、乾燥機、冷却機を経由して折機、あるいはシータ導入されてスタックされる。印刷ウェブは乾燥機で水分が蒸発させられるため、冷却機にて必要十分な水分が与えられることでウェブに柔軟性が付与される。そして冷却機の出側には表面処理装置が設けられている。これは、印刷ウェブに水で稀釈した帯電防止剤（滑走剤）を塗布し、印刷面における静電気の発生を防ぐと共に滑り性を与えて、ガイドローラ、ターンバー、フォーマ、折機内部での印刷面の汚れ、傷の発生等を防止しようとするものである。帯電防止剤の原料としては、シリコン、またはその類似品、あるいはシリコンを主とした混合物などが用いられる。
【０００３】
このウェブへの溶剤（帯電防止剤）の塗布により、ウェブに滑りやすい表面性状が与えられ、ローラやフォーマの三角板、ターンバーがインキで汚れることが防止される。
【０００４】
このような表面処理装置の構成は図４に示すように、水舟１ａ，１ｂとこの水船１ａ，１ｂに供給する帯電防止剤を貯留するタンク２、前記タンク２と水舟１ａ，１ｂとの間に設けられ、タンク２内に貯留された帯電防止剤を水舟１ａ，１ｂに搬送するポンプ３、及び前記水舟１ａ，１ｂに供給された帯電防止剤をウェブに塗布するための回転ローラ４ａ，４ｂとを主な構成要素とする。なお、ポンプ３の吐出流量を一定とした場合には、ポンプ３と水舟１ａ，１ｂとの間に流量調整弁５を設け、帯電防止剤の一部をタンクに戻すようにして水舟１ａ，１ｂに供給する帯電防止剤の量を調整することが一般的である。
【０００５】
また、表面処理装置としては、特許文献１に開示されているようなものも知られている。特許文献１には、ウェブの表面と裏面とで異なった特性を有する溶剤（帯電防止剤）を塗布する技術的思想が示されている。そして、特許文献１に開示されている表面処理装置の主な構成は、異なった特性を有する溶剤をそれぞれ貯留するための２つのタンクと、このタンクのそれぞれに個別に接続された水舟、及び前記水舟に設けられた回転ローラである。そしてこのような構成の表面処理装置では、各水舟にウェブの表裏面のそれぞれに塗布される互いに異なる性質を持った溶剤が提供され、回転ローラはそれぞれ提供された溶剤をウェブ面に塗布する。
【特許文献１】特開２０００−１５７９２０号公報
【発明の開示】
【発明が解決しようとする課題】
【０００６】
上記単一のタンクから水舟に溶剤（帯電防止剤）を供給する表面処理装置では、ウェブに塗布する溶剤の濃度を変える場合、タンク内に貯留されている溶剤全体の濃度を変える必要がある。また、ウェブに塗布する溶剤の種類を変える場合には、タンク内に貯留された溶剤を排出する必要が生ずることとなる。
【０００７】
一方、特許文献１に開示されている表面処理装置には２つの水舟のそれぞれに対応した２つのタンク及びポンプが備えられているため、それぞれのタンクに異なった濃度、種類の溶剤を貯留することができる。しかし、それぞれのタンクと水舟を繋ぐ供給、及び排出経路は、互いに個別の経路を構成しているため、単一の水舟に対して、仕様に応じて異なる種類、濃度の溶剤を提供しようとした場合には、上記単一のタンクを有する表面処理装置と同様な問題が生ずることとなる。
【０００８】
そこで本発明では、水舟に供給する溶剤の種類、及び濃度の切り替えを容易に行うことができる表面処理装置を提供することを目的とする。
【課題を解決するための手段】
【０００９】
上記目的を達成するための本発明に係る表面処理装置は、オフセット輪転機に配置され、水舟に貯留された溶剤をウェブ表面に塗布してウェブ表面に滑り性および／または帯電防止性を付与する表面処理装置であって、それぞれ濃度、あるいは種類の異なる溶剤を貯留する複数のタンクと、前記複数のタンクのいずれかに貯留された溶剤を前記水舟に供給するための単一のポンプと、前記複数のタンクの中からいずれか１つを選択的に前記ポンプに接続する切替手段を備えた溶剤供給経路と、前記複数のタンクの中から、前記水舟と当該水舟に供給される溶剤を貯留したタンクとを選択的に接続する切替手段を備えた溶剤帰還経路とを有することを特徴とする。
【００１０】
また、本発明に係る表面処理装置は、上記構成に加え、前記水舟を複数備えると共に、前記ポンプは前記水舟のそれぞれに対応させた数だけ備え、前記複数のタンクと前記複数のポンプそれぞれとの間に前記切替手段を備えた溶剤供給経路を有するものであっても良い。
【００１１】
また、上記構成の表面処理装置において前記溶剤供給経路には、水舟に供給する溶剤の一部を排出する流量調整弁が備えられ、前記流量調整弁の排出側経路には、溶剤の排出先として前記溶剤を供給しているタンクを選択可能な切替手段を有するようにしても良い。
【００１２】
また、上記特徴を有する表面処理装置では、前記溶剤供給経路に備えた切替手段と、前記溶剤帰還経路に備えた切替手段との切り替えを連動させて行う統括切替手段を備えるようにすると良い。
さらに、前記統括切替手段は、前記流量調整弁の排出側経路に設けられた切替手段の切り替えも連動させて行う構成とすることが望ましい。
【発明の効果】
【００１３】
上記構成の表面処理装置によれば、切替手段によるタンクとポンプ、及び水舟とタンクの接続切替のみにより、水舟に供給する溶剤の濃度、種類を変えることが可能となる。このため、タンクから作業者の手により溶剤を排出するという作業や、水舟に供給する溶剤の濃度を変更するために、作業者がタンクに貯留された溶剤の濃度を適宜調整するといった作業を行う必要がなくなる。
【００１４】
また、複数設けた水舟のそれぞれに対応させたポンプを設け、ポンプに接続するタンクを適宜選択可能な構成としたことにより、ウェブに塗布する溶剤の選択性を細かく、かつ容易に設定することが可能となる。
【００１５】
また、水舟に溶剤を供給する溶剤供給経路に流量調整弁を設け、ポンプから吐出された溶剤の一部を排出する構成としたことにより、ポンプ流量の調整を行うこと無く、水舟に供給する溶剤の流量を一定に保つことが可能となる。また、排出した一部の溶剤を供給元のタンクに戻す構成としたことにより、排出された溶剤は再び水舟へ供給されることとなり、溶剤を無駄無く使用することができる。
【００１６】
また、溶剤供給経路側の切替手段と、溶剤帰還経路側の切替手段との経路切り替えを連動させて行う統括切替手段を備える構成としたことにより、流路の切り替えミスを防止することができる。
【００１７】
さらに、前記統括切替手段により流量調整弁の排出経路に設けた切替手段の流路切り替えも連動させる構成としたことにより、表面処理装置全体として、流路の切り替えミスを防止することができる。
【発明を実施するための最良の形態】
【００１８】
以下、本発明の表面処理装置に係る実施の形態について、図面を参照しつつ詳細に説明する。なお、以下に示す実施の形態は、本発明に係る一部の実施形態であり、本発明の技術的範囲は以下に示す実施形態に拘束されるものでは無い。
【００１９】
図１は本発明の表面処理装置６０が設置されるオフセット輪転機１００の概要構成を示す図である。オフセット輪転機１００は、ロール状に巻かれたウェブが配置される給紙機１０、ウェブを所定の経路に導くインフィード機２０を介して印刷ユニット３０にウェブを供給する構成とされている。ウェブは印刷ユニット３０にて所定の印刷が施されて排出されるが、印刷に用いられるインキには顔料や溶剤が含まれているため、印刷直後の印刷面は不安定な状態となる。このため印刷ユニット３０を通過して印刷が施されたウェブは乾燥機４０に導入されて熱風乾燥を施される。これにより印刷面から溶剤や水分を蒸発させ、印刷面を乾燥させることができる。乾燥機４０から排出されたウェブからは、必要な水分も奪われてしまっているため、紙面の可撓性も奪われている。このため乾燥機４０の後段に設けられた冷却機５０によりウェブを冷却すると共にウェブに必要とされる湿気を付与することで、印刷面が定着すると共にウェブの可撓性が復元される。なお、ウェブの冷却にはチルロールと呼ばれる冷却ローラ５０ａが用いられ、ウェブの加湿には含浸作用を有する加湿剤を塗布するノズル５０ｂが用いられる。そして前記冷却機５０の後段には、表面処理装置６０が配設され、ここでウェブ表面（表裏面）の性状調整がなされるようになっている。
【００２０】
表面処理装置６０の後段には、折機８０やシータ８２が配置されており、印刷物の仕様によりウェブの引き回し経路が切り替えられる。ウェブが折機８０に引き回されている場合、三角板や羽車を介して一部づつ折り込まれた印刷物がコンベア上に整列されて搬送され、スタッカ９０にて集積される（折り出し）。一方、ウェブがシータ８２に引き回されている場合、所定の印刷物単位で枚葉に切り揃えられた印刷物がコンベア上に整列されて搬送され、スタッカ９０にて集積される（シート出し）。
【００２１】
上記のような２つの経路では、スタッカ９０に至るまでの工程が異なると共に、最終的な印刷物の形態そのものも異なるため、スタックされるまでに印刷物に発生する静電気や、印刷物に望まれる滑走性に差が生ずる。例えば、シート出しを行う場合には、シータ８２の機械的な性質から、折り出しを行う場合に比べて印刷物に発生する静電気が多くなる。このため、折り出しを行う場合にウェブに塗布する溶剤（帯電防止剤）の濃度を５％程度とすると、シート出しを行う場合には帯電防止剤の濃度を１０〜１５％程度とする必要がある。
【００２２】
本実施形態に係る表面処理装置６０の基本的構成は、背景技術の項で説明した表面処理装置と同様である。すなわち図２に示すように、水舟６２ａ，６２ｂと、タンク６４，６６、及び前記水舟６２ａ，６２ｂと前記タンク６４，６６との間に設けられたポンプ６８とを基本構成とし、前記水舟６２ａ，６２ｂにはそれぞれ図示しない回転ローラが設けられるのである。
【００２３】
本実施形態の水舟には、ウェブの一方の面（例えば表面と称す）に塗布する帯電防止剤を貯留する水舟６２ａと、ウェブの他方の面（例えば裏面と称す）に塗布する帯電防止剤を貯留する水舟６２ｂとがある。また、本実施形態のタンクには、折り出し時にウェブに塗布される帯電防止剤を貯留する折り出し用タンク６６と、シート出し時にウェブに塗布される帯電防止剤を貯留するシート出し用タンク６４とがある。前記２つの水舟６２ａ，６２ｂと２つのタンク（折り出し用タンク６６、シート出し用タンク６４）との間には、１つのポンプ６８が備えられている。
【００２４】
前記ポンプ６８の吸入側には、３ポート（２ｉｎ１ｏｕｔ）の切替弁７０が備えられ、ｉｎ側の２つのポートには、折り出し用タンク６６とシート出し用タンク６４とにそれぞれ接続された経路が接続されている。そしてｏｕｔ側のポートには前記ポンプの吸入口が接続されており、前記切替弁７０によるｉｎ側ポートの選択切り替えにより、ポンプ６８に吸入される帯電防止剤をいずれのタンク（折り出し用タンク６６またはシート出し用タンク６４）から提供するかを選択することができる構成とされている。
【００２５】
前記ポンプの吐出側経路には、流量調整弁７４と分岐部７８が設けられている。前記流量調整弁７４は、ポンプ６８から定量吐出される帯電防止剤の一部を経路外へ排出し、各水舟６２ａ，６２ｂへ供給する帯電防止剤の量を調整する作用を担う。前記流量調整弁７４の一部排出側には、３ポート（１ｉｎ２ｏｕｔ）の切替弁７６が設けられ２つのｏｕｔ側ポートのそれぞれには、前記折り出し用タンク６６と前記シート出し用タンク６４のそれぞれに接続された経路が接続されており、排出された帯電防止剤の一部がタンクへと戻るように構成されている。なお、前記切替弁７６は、ポンプ６８に対して帯電防止剤を供給しているタンクと接続された排出経路を選択するようにする。また、前記分岐部７８は、ポンプ６８から吐出された帯電防止剤を、２つの水舟６２ａ，６２ｂのそれぞれに供給するための経路を構成するために設けられている。
【００２６】
前記水舟６２ａ，６２ｂのそれぞれには上述したように、ウェブに帯電防止剤を塗布するための図示しない回転ローラが備えられる。前記水舟６２ａ，６２ｂは、オーバーフロー形式により供給された帯電防止剤を排出する構成としているため、水舟６２ａ，６２ｂに貯留される帯電防止剤の液量を一定に保つことが可能とされている。各水舟６２ａ，６２ｂの排出側には、３ポート（１ｉｎ２ｏｕｔ）の切替弁７２ａ，７２ｂが設けられると共に、各ｏｕｔ側ポートには折り出し用タンク６６、シート出し用タンク６４のそれぞれに接続された経路が接続されており、帯電防止剤の帰還経路が構成されている。ここで、切替弁７２ａ，７２ｂによる帰還経路の選択は、水舟６２ａ，６２ｂに供給する（あるいはされている）帯電防止剤を貯留しているタンクに接続された経路を選択するようにすれば良い。
【００２７】
このような構成の表面処理装置６０では、例えばオフセット輪転機１００において折り出し用経路が採用された場合、複数の切替弁（本実施形態では４つ）７０，７２ａ，７２ｂ，７６のそれぞれの選択経路を、折り出し用タンク６６に接続された経路とする。複数の切替弁７０，７２ａ，７２ｂ，７６の経路選択が終了した後、ポンプ６８を稼動させる。ポンプ６８を稼動させることにより折り出し用タンク６６からポンプ６８へと帯電防止剤が吸入され、２つの水舟６２ａ，６２ｂのそれぞれへと吐出、供給される。この際、ポンプ６８から過剰に吐出された分量の帯電防止剤は、流量調整弁７４の排出側へとまわされ、切替弁７６を介して折り出し用タンク６６へと排出される。また、水舟６２ａ，６２ｂに提供された帯電防止剤のうち、定量を越えて排出された帯電防止剤は、切替弁７２ａ，７２ｂを有する帰還経路を介して折り出し用タンク６６へと帰還する。そして、上記のようにして水舟６２ａ，６２ｂに対する帯電防止剤の供給、水舟６２ａ，６２ｂからの帯電防止剤の帰還を繰り返し、帯電防止剤を循環させることで、水舟６２ａ，６２ｂに貯留される帯電防止剤の量を一定に保つことができると共に、折り出し用タンク６６に貯留された帯電防止剤に濃度の偏りが生ずることを防ぐことができる。
【００２８】
また、オフセット輪転機１００においてシート出し用経路が採用された場合、複数の切替弁７０，７２ａ，７２ｂ，７６のそれぞれの選択経路を、シート出し用タンク６４に接続された経路とする。このように経路選択を行った後にポンプ６８を稼動させることにより、水舟６２ａ，６２ｂに供給される帯電防止剤は、シート出し用タンク６４に貯留されたものとなり、水舟６２ａ，６２ｂから排出された帯電防止剤は、シート出し用タンク６４に帰還することとなる。
【００２９】
このような構成の表面処理装置６０によれば、切替弁７０，７２ａ，７２ｂ，７６の切り替えのみにより、水舟６２ａ，６２ｂに供給する帯電防止剤（溶剤）の濃度や種類を変えることができる。このため、オフセット輪転機１００におけるウェブ経路の切り替えに伴ってタンク内に貯留した溶剤の濃度調整や、タンク内に貯留された溶剤の排出等を行う必要性が無くなり、作業性が向上する。また、水舟６２ａ，６２ｂに供給する溶剤の濃度や種類の調整を適宜容易に切り替えることができるため、折り出しやシート出しを安定して行うことが可能となる。また、切替弁７０，７２ａ，７２ｂ，７６による流路の選択により、水舟６２ａ，６２ｂに供給された溶剤は、供給元のタンクへと帰還する構成とすることができるため、各タンク内の溶剤が混ざってしまう虞が無い。
【００３０】
また、上記構成の表面処理装置６０では、ポンプとタンクとの関係を１対１では無く、１つのポンプに対して複数のタンクを接続するという構成を採っているため、切り替え接続するタンクの数、すなわち水舟６２ａ，６２ｂに供給する帯電防止剤の種類を増やすほど、設備コストの削減率を向上させることができる。
【００３１】
なお、上記実施形態では、複数の切替弁７０，７２ａ，７２ｂ，７６は各々個別に切り替え可能な構成としている。しかし、前記各切替弁７０，７２ａ，７２ｂ，７６は統括制御可能な構成としても良い。具体的には、各切替弁７０，７２ａ，７２ｂ，７６を電磁弁等とし、図示しない制御部によるスイッチ操作のみで全ての切替弁７０，７２ａ，７２ｂ，７６が、連動して切り替わるような構成とすれば良い。このような構成とすることにより、切替弁の切り替えミスを防止することができる。これにより、切替弁の切り替えミスに伴う溶剤の混合、タンクの容量オーバー等を防止することが可能となる。
【００３２】
また、各タンクに濃度調整可能な定量装置（不図示）などを取り付けてタンク内に貯留される溶剤の濃度及び量を安定させることが可能な構成としても良い。このような構成とすることによれば、上述したような、切替弁による流路選択のみによる供給溶剤の切り替えによって生じる効果を向上させることができる。
【００３３】
また、上記実施形態では、水舟６２ａ、水舟６２ｂのそれぞれから、タンクに接続された溶剤帰還経路は個別経路としているが、双方の溶剤帰還経路を統合し、統合した後に切替弁を設けるようにしても良い。このような構成とすることにより、図２における切替弁７２ａと切替弁７２ｂとを１つの切替弁で代用することができるようになる。
【００３４】
次に、図３を参照して本発明の表面処理装置に係る第２の実施形態について説明する。本実施形態の表面処理装置の基本的構成は、上記実施形態に係る表面処理装置６０と同様である。したがってその機能を同一とする箇所には図面に１００を足した符号を付してその詳細な説明は省略することとする。
【００３５】
本実施形態の表面処理装置１６０と、上記実施形態に係る表面処理装置６０との相違は、本実施形態の表面処理装置１６０では、２つの水舟１６２ａ，１６２ｂのそれぞれに、種類、あるいは濃度の異なる帯電防止剤（溶剤）を供給することを可能としたことにある。すなわち本実施形態の表面処理装置１６０によれば、ウェブの表面、裏面のそれぞれに対応させた水舟１６２ａ，１６２ｂに対して、同じ濃度の帯電防止剤を供給し、オフセット輪転機１００の仕様に応じて帯電防止剤の濃度を変えることができることはもちろん、いずれか一方の水舟１６２ａ（１６２ｂ）に供給する帯電防止剤の濃度のみを変えること、及び双方の水舟１６２ａ，１６２ｂに供給する帯電防止剤の濃度を相互に変えることも可能となるのである。
【００３６】
具体的構成としては次のようなものである。すなわち、２つの水舟１６２ａ，１６２ｂのそれぞれに対応させたポンプ１６８ａ，１６８ｂを設け、各ポンプ１６８ａ，１６８ｂの吸入側にはそれぞれ３ポート（２ｉｎ１ｏｕｔ）の切替弁１７０ａ，１７０ｂを設ける構成としたのである。そして、前記それぞれの切替弁１７０ａ，１７０ｂにおける２つのｉｎ側ポートは折り出し用タンク１６６とシート出し用タンク１６４のそれぞれに接続される構成とした。なお、他の構成については上記構成の表面処理装置６０と同様である。
【００３７】
このような特徴的構成を有する本実施形態の表面処理装置１６０では、切替弁１７０ａと切替弁１７０ｂ、切替弁１７２ａと切替弁１７２ｂ、及び切替弁１７６ａと切替弁１７６ｂの選択経路を、それぞれ同じタンク（例えば折り出し用タンク１６６）に接続された経路に設定した場合には、水舟１６２ａと水舟１６２ｂには共に折り出し用タンク１６６に貯留された帯電防止剤が供給され、水舟１６２ａ，１６２ｂから排出された帯電防止剤は折り出し用タンク１６６に帰還することとなる。一方、切替弁１７０ａ、切替弁１７２ａ、及び切替弁１７６ａの選択経路を折り出し用タンク１６６に接続された経路に設定し、切替弁１７０ｂ、切替弁１７２ｂ、及び切替弁１７６ｂの選択経路をシート出し用タンク１６４に接続された経路に設定した場合には、水舟１６２ａには折り出し用タンク１６６に貯留された帯電防止剤が供給され、水舟１６２ｂにはシート出し用タンク１６４に貯留された帯電防止剤が供給されることとなる。なお、水舟１６２ａに供給された帯電防止剤は折り出し用タンク１６６へ、水舟１６２ｂに供給された帯電防止剤はシート出し用タンク１６４へそれぞれ帰還することとなる。
【００３８】
このように、切替弁１７０ａ〜１７６ｂによる流路の選択のみにより各水舟１６２ａ，１６２ｂに供給する帯電防止材（溶剤）の種類を選択的に切り替えることが可能な構成としたことにより、オフセット輪転機１００の仕様に応じて最適な溶剤の組み合わせを容易に設定することが可能となる。
【００３９】
上記実施形態では、ウェブ表面に塗布する溶剤について、帯電防止剤とのみ記載しているが、前記溶剤には、滑走剤、及びこれらと同様の作用を担うもの（類似品）も含むこととする。
【００４０】
また、上記実施形態では、タンクは２つのみの場合を記載したが、さらにタンクの数を増やすようにしても良い。この場合、切替弁のポート数を増やし、溶剤の供給側経路と帰還側経路とが同一のタンクに接続されるように流路選択を行うようにすれば良い。
【図面の簡単な説明】
【００４１】
【図１】オフセット輪転機の概要構成を示す図である。
【図２】第１の実施形態に係る表面処理装置の回路構成を示す図である。
【図３】第２の実施形態に係る表面処理装置の回路構成を示す図である。
【図４】従来の表面処理装置の構成を示す図である。
【符号の説明】
【００４２】
１０………給紙機、２０………インフィード機、３０………印刷ユニット、４０………乾燥機、５０………冷却機、６０………表面処理装置、６２ａ，６２ｂ………水舟、６４………シート出し用タンク、６６………折り出し用タンク、６８………ポンプ、７０………切替弁、７２ａ，７２ｂ………切替弁、７４………流量調整弁、７６………切替弁、７８………分岐部、８０………折機、８２………シータ、９０………スタッカ、１００………オフセット輪転機。
【図１】
2007320191.tif 000003
【図２】
2007320191.tif 000004
【図３】
2007320191.tif 000005
【図４】
2007320191.tif 000006